(57)【要約】【課題】  特に農業機械の変速装置に装着された湿式クラッチの摩擦材に対し、高い静摩擦係数を示し、しかも水がオイルタンクに混入した場合でも油圧不良につながるエマルションの生成を抑えることが可能な農業機械用潤滑油組成物を提供する。【解決手段】  潤滑油基油と、（Ａ）塩基性カルシウムスルホネート及び塩基性カルシウムフェネートから選ばれる1種類以上、（Ｂ）ジアルキルジチオリン酸亜鉛、（Ｃ）特定のアスパラギン酸エステル誘導体を含有し、前記塩基性カルシウムスルホネート及び塩基性カルシウムフェネートから選ばれる１種類以上の含有量が、該組成物の全量に対するカルシウム量換算で０．１〜０．７質量％であり、前記ジアルキルジチオリン酸亜鉛の含有量が、該組成物の全量に対する亜鉛量換算で０．０５〜０．２質量％であり、特定のアスパラギン酸エステル誘導体の含有量が該組成物の全量に対して０．０１〜１．０質量％であることを特徴とする農業機械用潤滑油組成物。【選択図】  なし【特許請求の範囲】
【請求項１】
潤滑油基油と、（Ａ）塩基性カルシウムスルホネート及び塩基性カルシウムフェネートから選ばれる1種類以上、（Ｂ）ジアルキルジチオリン酸亜鉛、（Ｃ）下記一般式（１）で表わされるアスパラギン酸エステル誘導体を含有し、前記塩基性カルシウムスルホネート及び塩基性カルシウムフェネートから選ばれる１種類以上の含有量が、該組成物の全量に対するカルシウム量換算で０．１〜０．７質量％であり、前記ジアルキルジチオリン酸亜鉛の含有量が、該組成物の全量に対する亜鉛量換算で０．０５〜０．２質量％であり、一般式（１）で表わされるアスパラギン酸エステル誘導体の含有量が該組成物の全量に対して０．０１〜１．０質量％であることを特徴とする農業機械用潤滑油組成物。
【化５】
2014019735.tif 000009
（式（１）中、Ｒ１、Ｒ２、Ｒ３及びＲ４はそれぞれ炭素数が１〜３０のアルキル基を示し、全て同じアルキル基であってもよいし、互いに異なるアルキル基であってもよい。）
【発明の詳細な説明】
【技術分野】
【０００１】
本発明は、農業機械用潤滑油組成物に関する。詳しくは、変速機に湿式クラッチ機構を有するトラクター等の農業機械に関し、湿式クラッチの滑りを防止し良好な変速特性を有し、水がオイルタンクに混入した場合でも錆の発生や油圧不良につながるエマルションの生成を抑えることができる農業機械用潤滑油組成物に関する。
【背景技術】
【０００２】
農業機械は、整地用作業機としてのトラクター、育成管理用作業機としての田植え機、収穫用作業機としてのバインダー、コンバインなどがある。これらの中で最も幅広く用いられているのがトラクターである。トラクターには油圧ポンプ部、変速装置部、ＰＴＯクラッチ部、差動歯車装置部、湿式ブレーキ部など多くの潤滑箇所があり、これらを１つの農業機械用潤滑油で潤滑しているタイプが多い。このため農業機械用潤滑油には摩擦特性、耐摩耗性、酸化安定性、さび止め性、有機材料適合性など多機能の役割が要求される。これらの性能を確保し、さらに高めるために、現在のところ、選定された基油に種々の添加剤を配合して農業機械用潤滑油組成物として供給している（例えば、特許文献１〜４等参照）。
【０００３】
ところで、このような農業機械用潤滑油は、ブレーキ鳴きの防止など湿式ブレーキ部への適合性を重視して摩擦調整剤を配合するケースが多いため、摩擦係数が低い傾向にある。しかしながら、上述のように、通常、農業機械用潤滑油は１種類の潤滑油で複数の潤滑箇所を潤滑するため、高い制御力や動力伝達が求められるコンバインや一部のトラクターでは、十分な性能が得られない場合がある。高い制御力や高い動力伝達のためには、湿式クラッチ部の摩擦材の摩擦係数が高いことが求められるためである。
【０００４】
そのため、このような湿式ブレーキ部への適合性に加え湿式クラッチ部における高い摩擦係数を付与できるような潤滑油であることが望ましく、特に高い動力伝達を達成するために、クラッチ結合後の滑りを抑制する高い静摩擦係数を付与できるものが望ましい。
【０００５】
さらに農業機械の中には雨季に水田にて使用されるものがあり、そのような機械では油圧タンクへの水分混入が避けられない環境にある。水分がオイルに混入するとオイルと水分とで生成するエマルションが、油圧ポンプのサクションフィルター部におけるスムーズな通油を阻害し、フィルター機能を低下させることがある。そのため、水分が混入してもエマルション形成を起こしにくい、水分離性（抗乳化性）が高いことが望ましい。このため、低塩基価の金属型清浄剤の配合により水分離性の向上が図られる技術があるが（例えば特許文献５等）、低塩基価の金属型清浄剤は高塩基価の金属型清浄剤と比べ静摩擦係数が劣るため、静摩擦係数を低下させる傾向がある。
【０００６】
一方、上記した通り、農業機械用潤滑油組成物においてはブレーキ鳴き防止のために摩擦調整剤が配合され、その摩擦調整剤としてはしばしば酸性リン酸エステルアミン塩が配合されており、この酸性リン酸エステルアミン塩は摩擦調整剤としての効果と共に水分離性向上効果も有する（例えば特許文献６等）。しかし、やはり酸性リン酸エステルアミン塩は摩擦調整剤であるため、上記した通りその配合量が多すぎると、静摩擦係数が低下し過ぎてしまうため、酸性リン酸エステルアミン塩によりクラッチ結合後の滑りを抑制できる程度に高い静摩擦係数を維持しつつ水分離性をも高めることは困難であった。
【先行技術文献】
【特許文献】
【０００７】
【特許文献１】特開平３−２０３９６号公報
【特許文献２】特開２００４−５９９３０号公報
【特許文献３】特開２００９−１４４０９７号公報
【特許文献４】特開２００９−１４４０９８号公報
【特許文献５】特開２０１０−１２１０６３号公報
【特許文献６】特開昭６３−２５４１９６号公報
【発明の概要】
【発明が解決しようとする課題】
【０００８】
本発明は、特に農業機械の変速装置に装着された湿式クラッチの摩擦材に対し、高い静摩擦係数を示し、しかも水がオイルタンクに混入した場合でも油圧不良につながるエマルションの生成を抑えることが可能な農業機械用潤滑油組成物を提供することを目的とする。
【課題を解決するための手段】
【０００９】
本発明者らは、上記の課題を解決することを意図して研究を重ねた結果、潤滑油基油に金属型清浄剤、ジアルキルジチオリン酸亜鉛を配合し、一般式（１）で表わされるアスパラギン酸エステル誘導体を特定量配合することで上記課題を解決できることを見出し、この知見にもとづいて本発明を完成するに至った。
【００１０】
すなわち、本発明は、潤滑油基油と、（Ａ）塩基性カルシウムスルホネート及び塩基性カルシウムフェネートから選ばれる1種類以上、（Ｂ）ジアルキルジチオリン酸亜鉛、（Ｃ）下記一般式（１）で表わされるアスパラギン酸エステル誘導体を含有し、前記塩基性カルシウムスルホネート及び塩基性カルシウムフェネートから選ばれる１種類以上の含有量が、該組成物の全量に対するカルシウム量換算で０．１〜０．７質量％であり、前記ジアルキルジチオリン酸亜鉛の含有量が、該組成物の全量に対する亜鉛量換算で０．０５〜０．２質量％であり、一般式（１）で表わされるアスパラギン酸エステル誘導体の含有量が該組成物の全量に対して０．０１〜１．０質量％であることを特徴とする農業機械用潤滑油組成物を提供する。
【００１１】
【化１】
2014019735.tif 000002
【００１２】
式（１）中、Ｒ１、Ｒ２、Ｒ３及びＲ４はそれぞれ炭素数が１〜３０のアルキル基を示し、全て同じアルキル基であってもよいし、互いに異なるアルキル基であってもよい。
【発明の効果】
【００１３】
本発明の農業機械用潤滑油組成物は、トラクター等の変速機の湿式クラッチ部における静摩擦係数が高く、しかも水がオイルタンクに混入した場合でも油圧不良につながるエマルションの生成を抑えることができる。
【発明を実施するための形態】
【００１４】
本発明の農業機械用潤滑油組成物（以下、単に潤滑油組成物という場合がある。）における潤滑油基油に特に制限はなく、農業機械用潤滑油として使用しうるものであれば鉱油、合成油を問わず使用することができる。
鉱油系潤滑油基油としては、様々な製造法により得られたものが使用できるが、例えば、水素化精製油、触媒異性化油などに溶剤脱蝋または水素化脱蝋などの処理を施した、高度に精製されたパラフィン系鉱油等が好ましく使用される。また、上記以外にも様々な製造法により得られた鉱物系基油が使用でき、例えば、潤滑油原料をフェノール、フルフラールなどの芳香族抽出溶剤を用いた溶剤精製により得られるラフィネート、シリカ−アルミナを担体とするコバルト、モリブデンなどの水素化処理触媒を用いた水素化処理により得られる水素化処理油などが挙げられる。特に、水素化分解工程や異性化工程によって得られる高粘度指数鉱油が好適なものとして挙げることができる。
【００１５】
合成油系基油としては、例えば、メタン等のガスを原料としてフィッシャー・トロプシュ反応により合成される基油、ポリ−α−オレフィンオリゴマー、ポリブテン、アルキルベンゼン、ポリオールエステル、ポリグリコールエステル、ポリエチレンプロピレン類、ヒンダードエステル類、二塩基酸エステルなどを挙げることができる。なお少量であれば、リン酸エステル、シリコーン油も使用できる。
【００１６】
潤滑油基油は、上記のような２種類以上の鉱油系潤滑油基油の混合物あるいは合成系基油の混合物であっても差し支えなく、１種類以上の鉱油系潤滑油基油と１種類以上の合成系潤滑油基油との混合物であっても差し支えない。そして、上記混合物における２種類以上の基油の混合比は、任意に選ぶことができる。但し、１００℃における動粘度が低すぎると、特に夏場において油圧タンクからの蒸発が生じ易くなり、環境保全の観点から好ましくない。また油膜強度が低下してギヤ部を損傷する可能性が高くなるので好ましくない。一方、１００℃における動粘度が高すぎると、製品粘度が高くなり過ぎる。そのため冬季始動時に粘性抵抗による動力損失が増大するので好ましくない。これらの観点から、一般的には１００℃における動粘度が２．０ｍｍ２／ｓから１５．０ｍｍ２／ｓの範囲が好ましい。ただし、動粘度が上記範囲以外の基油を含んでも粘度の影響が少ない装置であれば当然ながら制限なく使用することができる。また基油の粘度指数にも制限はないが、通常９０以上程度が好ましい。
【００１７】
本発明の農業機械用潤滑油組成物は、上記のような潤滑油基油に、（Ａ）成分として、塩基性カルシウムスルホネート及び塩基性カルシウムフェネートから選ばれる１種類以上を含有する。上記塩基性カルシウムスルホネートと塩基性カルシウムフェネートとしては、好ましくは、下記一般式（２）〜一般式（４）で表されるものを、カルシウムの炭酸塩又はホウ酸塩を炭酸ガス存在下で反応させる事により過塩基化したものが挙げられる。
【００１８】
【化２】
2014019735.tif 000003
【００１９】
一般式（２）及び一般式（３）は、塩基性カルシウムスルホネートであり、一般式（４）は、塩基性カルシウムフェネートである。上記式中、Ｒ５〜Ｒ８は、水素原子又は炭素数１〜３０のアルキル基を示し、好ましくは６〜１８のアルキル基であり、それらが複数存在する場合は、それぞれ同一であっても、異なってもよい。ｎは、１〜４の整数であり、Ｓｘのｘは、１又は２であり、好ましくは１である。
これらは、単独で用いてもよいし、必要に応じて２種以上を混合して用いてもよい。また、カルシウムスルホネートとカルシウムフェネートを併用しても良い。
【００２０】
本発明の潤滑油組成物は、（Ａ）成分として、上記のような塩基性カルシウムスルホネート及び塩基性カルシウムフェネートから選ばれる少なくとも１種類以上を、該組成物全量に対し、カルシウム換算で０．１〜０．７質量％、特に好ましくは０．２〜０．５質量％となる割合で含有する。カルシウム換算での（Ａ）成分の配合量が０．１質量％未満であると、湿式クラッチ部の静摩擦係数が低くなってしまう。一方、カルシウム換算での（Ａ）成分の配合量が０．７質量％を超えると、酸化安定性の悪化や、湿式ブレーキ制動時に異常振動を起こしブレーキ鳴きを生じる等の懸念が生じ、また、配合量に見合う効果が得られないためコストアップとなる。
【００２１】
上記の塩基性カルシウムスルホネートと塩基性カルシウムフェネートとしては、ＪＩＳ  Ｋ２５０１の過塩素酸法によって測定される塩基価が好ましくは５０ｍｇＫＯＨ／ｇ以上、より好ましくは５０〜５００ｍｇＫＯＨ／ｇであるものを用いることができる。
なお、カルシウム以外のアルカリ金属やアルカリ土類金属、例えばマグネシウム、バリウム、ナトリウムなどのスルホネートやフェネートも少量であれば、上記カルシウムスルホネートやカルシウムフェネートと混合使用しても差し支えないが、水混入時の安定性が良好でないため、本発明においてはカルシウム系以外のスルホネートを使用することは望ましくない。また、アルカリ金属やアルカリ土類金属のサリシレートも少量であれば混合使用できるが、これは水混入時の安定性が十分でないことから使用することは望ましくない。
【００２２】
本発明の農業機械用潤滑油組成物は、上記のような潤滑油基油に、（Ｂ）成分として、ジアルキルジチオリン酸亜鉛を含有する。上記ジアルキルジチオリン酸亜鉛としては、下記一般式（５）のものが挙げられる。
【００２３】
【化３】
2014019735.tif 000004
【００２４】
上記一般式（５）において、Ｒ９、Ｒ１０、Ｒ１１、及びＲ１２は、それぞれ独立して炭素数が３〜２４のアルキル基を表し、同一であっても異なっていてもよい。Ｒ９、Ｒ１０、Ｒ１１、及びＲ１２は、炭素数が３〜１２であることが好ましく、６〜１０であることがより好ましい。また、Ｒ９、Ｒ１０、Ｒ１１、及びＲ１２は第一級アルキル基、第二級アルキル基、あるいはその混合物であってもよいが、摩擦係数安定性の観点からは第一級アルキル基であることが好ましい。
【００２５】
この（Ｂ）成分の添加量は、潤滑油組成物の全量に対する亜鉛量換算で０．０５〜０．２質量％、好ましくは０．０７〜０．１８質量％、より好ましくは０．０８〜０．１５質量％である。（Ｂ）成分の添加量が０．１質量％未満では湿式クラッチ部の静摩擦係数が低くなってしまう。一方、亜鉛換算での（Ｂ）成分の配合量が０．２質量％を超えて添加しても添加量に見合った静摩擦係数の向上効果は得られず、コストが増加してしまう。
【００２６】
本発明の潤滑油組成物は、（Ｃ）成分として、アスパラギン酸エステル誘導体を含有する。上記アスパラギン酸エステル誘導体は、下記一般式（１）のものが挙げられる。
【化４】
2014019735.tif 000005
【００２７】
一般式（１）中、Ｒ１、Ｒ２、Ｒ３及びＲ４はそれぞれ炭素数が１〜３０のアルキル基を示し、全て同じアルキル基であってもよいし、互いに異なるアルキル基であってもよい。Ｒ１、Ｒ２、Ｒ３及びＲ４はそれぞれ炭素数が１〜２０のアルキル基であることが好ましく、炭素数が１〜１２のアルキル基であることがより好ましい。さらに、Ｒ１は炭素数が１〜６のアルキル基であることが好ましく、炭素数が１〜４のアルキル基であることがより好ましく、炭素数が１〜２のアルキル基であることが特に好ましい。Ｒ２は炭素数が３〜１２のアルキル基であることが好ましく、炭素数が６〜１２のアルキル基であることがより好ましく、炭素数が８〜１２のアルキル基であることが特に好ましい。Ｒ３及びＲ４は炭素数が１〜８のアルキル基であることが好ましく、炭素数が２〜６のアルキル基であることがより好ましく、炭素数が３〜５のアルキル基であることが特に好ましい。
Ｒ１、Ｒ２、Ｒ３及びＲ４のアルキル基は、第一級アルキル基、第二級アルキル基、又は第三級アルキル基のいずれでもよいが、第一級アルキル基又は第二級アルキル基が好ましい。特に、Ｒ１、Ｒ３及びＲ４のアルキル基は、第一級アルキル基が好ましく、Ｒ２のアルキル基は、第二級アルキル基が好ましい。
【００２８】
Ｒ２のアルキル基の炭素数は、Ｒ１のアルキル基の炭素数よりも大きいことが好ましく、両者の炭素数の差は４〜１２が好ましく、６〜１０がより好ましい。Ｒ２のアルキル基の炭素数は、Ｒ３又はＲ４のアルキル基の炭素数よりも大きいことが好ましく、両者の炭素数の差は２〜１０が好ましく、４〜８がより好ましい。
なお、Ｒ３及びＲ４のアルキル基の炭素数は同一であってもよいし、異なってもよいが、同一であることが好ましく、異なっている場合も、両者の炭素数の差は１〜４が好ましく、１〜２がより好ましい。
【００２９】
（Ｃ）成分のアスパラギン酸エステル誘導体は、（Ａ）成分及び（Ｂ）成分と共に、水分離性及び湿式クラッチ部の静摩擦係数の向上剤として機能するものである。
この（Ｃ）成分の添加量は、本発明の潤滑油組成物の全量に対して０．０１〜１．０質量％であり、好ましくは０．０５〜０．８質量％であり、より好ましくは０．１〜０．３質量％である。（Ｃ）成分の添加量が０．０１質量％未満では水分離性及び湿式クラッチ部の静摩擦係数の向上効果が得られない。一方、（Ｃ）成分の添加量が１．０質量％を超えると酸化安定性が悪化するため好ましくない。
【００３０】
更に本発明の潤滑油組成物では、上記の（Ａ）、（Ｂ）、（Ｃ）成分の他に、必要に応じて、公知の添加剤、例えば、摩擦調整剤、油性剤、ＺｎＤＴＰ以外の摩耗防止剤、極圧剤、さび止め剤、酸化防止剤、金属不活性化剤、粘度指数向上剤、流動点降下剤、消泡剤、着色剤、トラクター作動油用パッケージ添加剤、あるいはこれらのうち少なくとも1種を含有する各種潤滑油用パッケージ添加剤などを添加することができる。
なお、摩擦調整剤はブレーキ鳴き防止のために配合すること好ましく、適度な静摩擦係数とするためには、０．１質量％〜２．０質量％の配合量とすることが好ましい。
【００３１】
摩擦調整剤としては、有機モリブテン化合物、多価アルコール部分エステル系、アミン系、アミド系、エーテル系、硫化エステル、リン酸エステル、酸性リン酸エステルやそのアミン塩、ジオール類などが挙げられる。
油性剤としては、オレイン酸、ステアリン酸、高級アルコール、アミン、エステル、硫化油脂、酸性リン酸エステル、酸性亜リン酸エステルなどが挙げられる。
無灰型分散剤としてはポリアルケニルコハク酸イミド、ホウ素系イミドなどが挙げられる。
摩耗防止剤としては、硫黄化合物、リン酸エステル、亜リン酸エステル、酸性リン酸エステルやそのアミン塩などが挙げられる。極圧剤としては、炭化水素硫化物、硫化油脂、リン酸エステル、亜リン酸エステル、塩素化パラフィン、塩素化ジフェニルなどが挙げられる。
さび止め剤としては、カルボン酸やそのアミン塩、エステル、スルホン酸塩、ホウ素化合物などが挙げられる。
【００３２】
酸化防止剤としては、アミン系、フェノール系、硫黄系の酸化防止剤などが挙げられる。
金属不活性化剤としては、ベンゾトリアゾール、チアジアゾール、アルケニルコハク酸エステルなどが挙げられる。粘度指数向上剤としては、ポリアルキルメタクリレート系、ポリイソブチレン系、エチレン−プロピレン共重合体系、スチレン−イソプレン共重合体系、スチレン−ブタジエン水添共重合体系、又はポリイソブチレン系などが挙げられる。
流動点降下剤としては、ポリアルキルメタクリレート系、塩素化パラフィン−ナフタレン縮合物、アルキル化ポリスチレンなどが挙げられる。消泡剤としては、ジメチルポリシロキサンなどのシリコーン化合物、フルオロシリコン化合物、エステル系などが挙げられる。
【００３３】
本発明の潤滑油組成物の調製方法は、基油、上記必須成分（Ａ）、（Ｂ）及び（Ｃ）、並びに必要に応じて各種添加剤を適宜混合すればよい。これらの各成分の混合順序は特に制限されるものではなく、基油に必須成分を順次混合してもよく、必須成分を予め混合してもよい。さらに、各種添加剤（任意成分）についても、予め基油に添加してもよいし、必須成分に添加してもよい。
本発明の潤滑油組成物は、社団法人  自動車技術会の自動車規格ＪＡＳＯ  Ｍ３４８「自動変速機油摩擦特性試験方法」で定めたＳＡＥ  Ｎｏ．２試験装置を用いて測定した、焼結摩擦材の静摩擦係数が０．１１０〜０．１５０であることが好ましく、０．１２０〜０．１４５であることが特に好ましい。
また、本発明の潤滑油組成物は、特に動粘度に制限ないが、低高温時の安定性や始動性を考慮すると１００℃における動粘度が５〜１５ｍｍ２／ｓであり、流動点が−２０℃以下であることが好ましく、−４０℃以下であることがより好ましい。
【００３４】
以上のような本発明に係わる潤滑油組成物は、焼結摩擦材の静摩擦係数が高く、かつ水分離性に優れるため、トラクターなどの農業機械の潤滑油として有用である。また、本発明に係わる潤滑油組成物は、農業機械以外の用途、例えば、焼結製摩擦材が組み込まれた湿式クラッチが装着されている一般産業機械や建設機械等にも使用できる。また、焼結製摩擦材以外の湿式クラッチ、例えば、自動車用変速機で広く使用されているペーパー摩擦材を使用した農業機械や各種車両の変速機油としても使用できる。
【実施例】
【００３５】
次に、本発明を実施例によりさらに具体的に説明する。なお、本発明はこれらの例によって何ら制限されるものではない。
なお、動粘度はＪＩＳ  Ｋ２２８３に従って測定し、粘度指数はＪＩＳ  Ｋ２２８３に従って算出し、流動点はＪＩＳ  Ｋ２２６９に従って測定した。
実施例および比較例では、基油と各成分を配合して、潤滑油組成物を調整し、それぞれの性能を評価した。各実施例及び各比較例において組成物の調製に用いた基油、添加剤成分は次の通りである。
【００３６】
〔１〕基油
・基油Ａ：１００℃の動粘度が５．７ｍｍ２／ｓで、粘度指数が１０８の高度精製鉱油系潤滑油基油
・基油Ｂ：１００℃の動粘度が４．３ｍｍ２／ｓで、粘度指数が１２４の高度精製鉱油系潤滑油基油
基油Ａ及び基油Ｂの配合比は基油Ａが１０〜２０ｖｏｌ％の範囲である。
【００３７】
〔２〕金属型清浄剤
・ＣａスルホネートＡ（塩基価３３０）
一般式（２）の塩基性カルシウムスルホネートと一般式（３）の塩基性カルシウムスルホネートの混合物（天然系）で、ＪＩＳ  Ｋ２５０１の過塩素酸法によって測定される塩基価が３３０ｍｇＫＯＨ／ｇで、Ｃａ濃度が１２質量％のカルシウムスルホネート。
【００３８】
〔３〕ジアルキルジチオリン酸亜鉛（ＺｎＤＴＰ）
・ＺｎＤＴＰ：一般式（５）におけるＲ９、Ｒ１０、Ｒ１１、及びＲ１２が第一級かつ炭素数８のアルキル基であり、Ｚｎ濃度が８．９質量％であるジアルキルジチオリン酸亜鉛
【００３９】
〔３〕アスパラギン酸エステル誘導体
・一般式（１）で示される構造で、Ｒ１が炭素数２の第一級アルキル基、Ｒ２が炭素数１０の第二級アルキル基、Ｒ３及びＲ４が炭素数４の第一級アルキル基であるアスパラギン酸エステル誘導体
【００４０】
〔４〕粘度指数向上剤
・重量平均分子量が１４万のポリアルキルメタクリレート系粘度指数向上剤
〔５〕摩擦調整剤
・酸性リン酸エステルのアミン塩（２−エチルヘキシルアシッドホスフェイトのオレイルアミン塩）
【００４１】
〔６〕トラクター作動油用パッケージ添加剤  
・ＣａスルホネートをＣａ量で４．０質量％、ＺｎＤＴＰをＺｎ量で１．８質量％、及び摩擦調整剤を含有するパッケージ添加剤
【００４２】
＜評価方法＞
（１）静摩擦係数試験
社団法人  自動車技術会の自動車規格ＪＡＳＯ  Ｍ３４８「自動変速機油摩擦特性試験方法」で定めたＳＡＥ  Ｎｏ．２試験装置を用いて、焼結摩擦材の静摩擦係数を測定した。ここで静摩擦係数とは、押し荷重を加えた状態でフリクションディスクを０．７ｒｐｍで一定回転させた時に発生する摩擦トルクＴから下記式（６）で算出される静摩擦係数値（μｓ）である。
【００４３】
【数１】
2014019735.tif 000006
【００４４】
μｓ：静摩擦係数
Ｔ  ：摩擦トルク（Ｎｍ）
ｎ  ：フリクションディスク枚数（＝３）
ｒｅ：平均摩擦有効半径（＝５８．６ｍｍ）
Ｐ  ：押し付け荷重（＝０．８１７ＭＰａ）
Ａ  ：摩擦面積（＝６２９７ｍｍ２）
【００４５】
（２）水分離性試験
ＳＡＥ  Ｐａｐｅｒ９７２７８８記載のフィルタビリティー評価で示される水混合法を実施した。具体的には、試験油に水分を混入、攪拌して１６８時間静置、遠心分離（１０００×ｇ、１時間）を行った後に、エマルション量を測定した。エマルション量が少ないほど（抗乳化性）に優れている。さらに、１６８時間静置後のサンプルを攪拌し、フィルター濾過を行った。濾過時間が短いほどフィルター閉塞を生じにくく優れている。
【００４６】
＜実施例１〜３、比較例１〜４＞
基油に、表１及び表２に掲げる各成分を各割合（質量％）で配合し、潤滑油組成物を調製した。表中、バランスとは、基油量は各添加剤の配合量を除いた量、という意味であり、２種類の基油Ａ、Ｂを配合して全体量を１００％にし、その配合割合を適宜調整することにより１００℃動粘度を８．３〜８．８ｍｍ２／ｓ、−４０℃の低温粘度（石油学会試験法ＪＰＩ
５Ｓ−２６−９９）を１００００〜２００００ｍＰａ・ｓ内に、流動点を−４５〜−５０℃内に調製した。それらの組成物の各種性能を評価し、その結果を表１及び表２の中段に示す。
【００４７】
【表１】
2014019735.tif 000007
【００４８】
【表２】
2014019735.tif 000008
【００４９】
表１〜表２に示される結果から、実施例では静摩擦係数、エマルジョン量、濾過時間の全てにおいて優れる。
実施例１と比較例１を対比すると、実施例１はアスパラギン酸エステル誘導体を含み、比較例１はアスパラギン酸エステル誘導体を含まない点のみで異なっている。実施例１は、十分な静摩擦係数が得られており、静摩擦係数向上効果が認められるが、比較例１では、十分な静摩擦係数が得られていないことがわかる。なお、実施例１と比較例１では、エマルション量・ろ過性に差がないが、これはいずれも酸性リン酸エステルを含有することで十分にその性能が確保できているためと推測される。
【００５０】
実施例２と比較例２を対比すると、同様に、実施例２はアスパラギン酸エステル誘導体を含み、比較例２はアスパラギン酸エステル誘導体を含まない点のみで異なっている。実施例２と比較例２の両方共に、十分な静摩擦係数が得られているが、比較例２では、十分なろ過性が得られていない。これは、「トラクター作動油用パッケージ」に含まれる摩擦調整剤が実施例１や比較例１に含まれる酸性リン酸エステルとは異なるため、エマルション量・ろ過性に差が生じているものと推測される。
実施例３は、実施例１に比べて、アスパラギン酸エステル誘導体の含有量を僅かに少なくし、酸性リン酸エステルアミン塩の含有量を多くした例であるが、静摩擦係数が僅かに小さくなっているが、十分な静摩擦係数が得られており、また、エマルション量・ろ過時間が僅かに小さくなっており、ろ過性が向上している。
比較例３では、塩基性カルシウムスルホネートを含有しないため、ろ過性は良好であるものの、実施例と比較して静摩擦係数が著しく低下していることがわかる。比較例４では、ＺｎＤＴＰを含有しないため、実施例と比較して静摩擦係数が著しく低下していることがわかる。